(57)【要約】【課題】  現状を正しく表現するとともに、簡便で対象物の位置を後に探しやすい画像ブックマークを可能とする。【解決手段】  撮像機能、表示機能、及び通信機能を備えた情報機器１と、撮像機能及び通信機能を備えた広角デジタルカメラサーバ２とが無線通信可能とされており、広角デジタルカメラサーバ２は、ある情景を撮像する撮像手段と、撮像手段により撮像を行い、その撮像された画像データを配信する配信手段とを備え、情報機器１は、広角デジタルカメラサーバ２から配信される画像データを取得する取得手段と、所望の対象物を撮像する撮像手段と、撮像手段による原画像の他にサムネイル画像を作成する手段と、サムネイル画像を用いて取得手段により取得された画像上に前記対象物の位置が特定できるようにブックマークする画像ブックマーク手段とを備える。【選択図】  図１
2006100988.tif 000002
【特許請求の範囲】
【請求項１】
撮像装置からのリアルタイムの画像データをネットワークを介して受信する画像通信装置であって、
前記撮像装置の撮像可能範囲の画像データを受信する第１の受信手段と、
前記撮像装置に対して撮像範囲を指定するコントロール情報を送信する送信手段と、
前記コントロール情報に従って前記撮像装置により撮像された画像の縮小画像データを、前記第１の受信手段により受信した前記撮像可能範囲の画像データに関連付ける関連付け手段とを備えたことを特徴とする画像通信装置。
【請求項２】
前記コントロール情報に従って前記撮像装置により撮像された画像データを受信する第２の受信手段と、前記第２の受信手段により受信した画像データから前記縮小画像データを生成する生成手段とを備えたことを特徴とする請求項１に記載の画像通信装置。
【請求項３】
撮像機能、表示機能、及び通信機能を備えた情報機器と、撮像機能及び通信機能を備えたカメラサーバとを含むネットワークシステムであって、
前記カメラサーバは、ある情景を撮像する撮像手段と、前記撮像手段により撮像を行い、その撮像された画像データを配信する配信手段とを備え、
前記情報機器は、前記カメラサーバから配信される画像データを取得する取得手段と、所望の対象物を撮像する撮像手段と、前記撮像手段による原画像の他にサムネイル画像を作成する手段と、前記サムネイル画像を用いて前記取得手段により取得された画像上に前記対象物の位置が特定できるようにブックマークする画像ブックマーク手段とを備えたことを特徴とするネットワークシステム。
【請求項４】
前記サムネイル画像から当該サムネイル画像の原画像へリンクを設定する手段を備えたことを特徴とする請求項３に記載のネットワークシステム。
【請求項５】
前記カメラサーバと通信可能なユーザ管理装置を含み、
前記カメラサーバは、前記情報機器からユーザ識別情報を受信する受信手段と、前記受信したユーザ識別情報に基づいて前記ユーザ管理装置に登録ユーザか否かを問い合わせる問い合わせ手段とを更に備え、
前記情報機器は、前記カメラサーバにユーザ識別情報を送信する送信手段を更に備え、
前記ユーザ管理装置は、前記カメラサーバからユーザ識別情報に基づく問い合わせがあったときに登録ユーザか否かの認証を行う認証手段と、前記認証手段による認証結果を前記カメラサーバに通知する通知手段とを更に備えたことを特徴とする請求項３又は４に記載のネットワークシステム。
【請求項６】
前記ユーザ管理装置は、前記認証手段により登録ユーザであるとの認証結果が得られた場合、前記カメラサーバに前記認証結果とともに付帯情報を送信し、
前記カメラサーバは、前記ユーザ管理装置から受信した付帯情報を前記情報機器に送信し、
前記情報機器は、前記カメラサーバから受信した付帯情報を表示することを特徴とする請求項５に記載のネットワークシステム。
【請求項７】
前記情報機器と前記カメラサーバとは無線通信を行うことを特徴とする請求項３〜６のいずれか１項に記載のネットワークシステム。
【請求項８】
撮像された画像データを配信するカメラサーバと通信可能な情報機器であって、
前記カメラサーバから配信される画像データを取得する取得手段と、
所望の対象物を撮像する撮像手段と、
前記撮像手段による原画像の他にサムネイル画像を作成する手段と、
前記サムネイル画像を用いて前記取得手段により取得された画像上に撮影対象物の位置が特定できるようにブックマークする画像ブックマーク手段とを備えたことを特徴とする情報機器。
【請求項９】
撮像装置からのリアルタイムの画像データをネットワークを介して受信する画像通信装置を用いた画像通信方法であって、
前記撮像装置の撮像可能範囲の画像データを受信する受信手順と、
前記撮像装置に対して撮像範囲を指定するコントロール情報を送信する送信手順と、
前記コントロール情報に従って前記撮像装置により撮像された画像の縮小画像データを、前記受信手順により受信した前記撮像可能範囲の画像データに関連付ける関連付け手順とを有することを特徴とする画像通信方法。
【請求項１０】
撮像装置からのリアルタイムの画像データをネットワークを介して受信する画像通信装置に用いられるコンピュータプログラムであって、
前記撮像装置の撮像可能範囲の画像データを受信する受信処理と、
前記撮像装置に対して撮像範囲を指定するコントロール情報を送信する送信処理と、
前記コントロール情報に従って前記撮像装置により撮像された画像の縮小画像データを、前記受信処理により受信した前記撮像可能範囲の画像データに関連付ける関連付け処理とをコンピュータに実行させることを特徴とするコンピュータプログラム。
【発明の詳細な説明】
【技術分野】
【０００１】
本発明は、リアルタイムの画像データを配信するサービスに利用して好適な画像通信装置、ネットワークシステム、情報機器、画像通信方法、及びコンピュータプログラムに関する。
【背景技術】
【０００２】
近年、ネットワークを介してリアルタイムの画像データを配信するシステムが普及してきている。かかるシステムを利用すれば、遠方からでも撮像方向をコントロールすることができ、見たい場所の現在の状況を映像で確認できるので大変便利である。
【０００３】
一方、近年では無線モジュールの発達が著しく早く、高速なデータ通信を可能とする高性能無線モジュールが開発されている。これらのモジュールに共通する特徴としては、電話通信網等の公衆回線に直接接続可能な通信方式ではなく、ある狭い範囲での近距離ローカル無線ネットワーク構築用の通信方式として利用可能なプロトコルを実装している点である。当該近距離無線ネットワークで提供可能なサービスとしては、当該近距離内でのみ有効なローカルな情報を諸ローカルサーバとやり取りするものが挙げられ、メリットが大きい。
【０００４】
このようなサービスにより提供される情報を簡単に整理する手法の一つとして、ブックマーク方式がよく使われる。
【０００５】
特許文献１には、メディアストリームから静止フレームを取得し、当該静止フレームを少なくとも一つのメディアストリーム内のセグメント又はロケーションの一つにリンクさせるようにして、メディアストリームという動画の中にインデックスとなる静止フレームをリンクする方法が提案されている。
【０００６】
また、特許文献２には、地図情報を電子情報として記録した地図情報記録手段と、景色等を撮影するとともにこの撮影画像を電子情報として記録する電子カメラと、前記情報表示手段により、前記地図情報記録手段に記録した地図情報を表示するとともに前記電子カメラで撮影された撮影画像の存在を示すマークを撮影位置に関連させて前記地図情報表示上に表示するように構成した電子カメラシステムが提案されている。
【０００７】
【特許文献１】特開２０００−３４１６６０号公報
【特許文献２】特開２０００−６５５８８号公報
【発明の開示】
【発明が解決しようとする課題】
【０００８】
しかしながら、特許文献２のように予め存在する地図情報に画像ブックマークを行う方式では、現状を正しく表現できないという問題がある。例えば倉庫型の店舗等であると、品物の配置はことある毎に変更になり、また日替わりや週替わりの特価品等の棚を設ける等すると、店舗案内地図をそのたび毎に作り変えねばならず、上述したような地図を用いた店舗内案内システムを運用するには非常に煩雑であるという問題があった。
【０００９】
また、例えばカメラサーバにコントロール情報を送信して画像を取得する場合に、撮像方向をコントロールするための情報として広角デジタル画像を予め撮影しておくと、現状を正しく表現していないので、リアルタイム映像と大きな違いが生じている場合がある。
【００１０】
本発明は、上記のような点に鑑みてなされたものであり、現状を正しく表現するとともに、簡便で対象物の位置を後に探しやすい画像ブックマークを可能とすることを目的とする。
【課題を解決するための手段】
【００１１】
本発明の画像通信装置は、撮像装置からのリアルタイムの画像データをネットワークを介して受信する画像通信装置であって、前記撮像装置の撮像可能範囲の画像データを受信する第１の受信手段と、前記撮像装置に対して撮像範囲を指定するコントロール情報を送信する送信手段と、前記コントロール情報に従って前記撮像装置により撮像された画像の縮小画像データを、前記第１の受信手段により受信した前記撮像可能範囲の画像データに関連付ける関連付け手段とを備えた点に特徴を有する。
本発明のネットワークシステムは、撮像機能、表示機能、及び通信機能を備えた情報機器と、撮像機能及び通信機能を備えたカメラサーバとを含むネットワークシステムであって、前記カメラサーバは、ある情景を撮像する撮像手段と、前記撮像手段により撮像を行い、その撮像された画像データを配信する配信手段とを備え、前記情報機器は、前記カメラサーバから配信される画像データを取得する取得手段と、所望の対象物を撮像する撮像手段と、前記撮像手段による原画像の他にサムネイル画像を作成する手段と、前記サムネイル画像を用いて前記取得手段により取得された画像上に前記対象物の位置が特定できるようにブックマークする画像ブックマーク手段とを備えた点に特徴を有する。
本発明の情報機器は、撮像された画像データを配信するカメラサーバと通信可能な情報機器であって、前記カメラサーバから配信される画像データを取得する取得手段と、所望の対象物を撮像する撮像手段と、前記撮像手段による原画像の他にサムネイル画像を作成する手段と、前記サムネイル画像を用いて前記取得手段により取得された画像上に撮影対象物の位置が特定できるようにブックマークする画像ブックマーク手段とを備えた点に特徴を有する。
本発明の画像通信方法は、撮像装置からのリアルタイムの画像データをネットワークを介して受信する画像通信装置を用いた画像通信方法であって、前記撮像装置の撮像可能範囲の画像データを受信する受信手順と、前記撮像装置に対して撮像範囲を指定するコントロール情報を送信する送信手順と、前記コントロール情報に従って前記撮像装置により撮像された画像の縮小画像データを、前記受信手順により受信した前記撮像可能範囲の画像データに関連付ける関連付け手順とを有する点に特徴を有する。
本発明のコンピュータプログラムは、撮像装置からのリアルタイムの画像データをネットワークを介して受信する画像通信装置に用いられるコンピュータプログラムであって、前記撮像装置の撮像可能範囲の画像データを受信する受信処理と、前記撮像装置に対して撮像範囲を指定するコントロール情報を送信する送信処理と、前記コントロール情報に従って前記撮像装置により撮像された画像の縮小画像データを、前記受信処理により受信した前記撮像可能範囲の画像データに関連付ける関連付け処理とをコンピュータに実行させる点に特徴を有する。
【発明の効果】
【００１２】
本発明によれば、撮像装置（カメラサーバ）からある情景を撮像した画像データをリアルタイムで取得し、当該画像上に対象物を撮影した画像の縮小画像（サムネイル画像）を配置してブックマークすることができるので、現状を正しく表現するとともに、簡便で対象物の位置を後に探しやすい画像ブックマークが可能になる。
【発明を実施するための最良の形態】
【００１３】
以下、添付図面を参照して、本発明の好適な実施形態について説明する。
(第１の実施形態)
図１は、第１の実施形態のネットワークシステムを説明するためのブロック図である。図１において、１はデジタル画像の撮影、表示、操作、及び無線通信が可能な情報機器である。また、２は広角デジタル画像が撮影可能な広角デジタルカメラサーバであり、無線通信を担うセルステーション（ＣＳ）２１を備える。本実施形態では、広角デジタルカメラサーバ２が店舗の天井に配置されており、店舗内の情景を撮像する例を説明する。また、３はユーザの顧客情報を管理するユーザ管理センタであり、本実施形態では有線による接続を介して広角デジタルカメラサーバ２と通信可能となっている。
【００１４】
情報機器１の内部モジュールについて説明すると、１００はプログラムをロードして各種構成機器の制御等を司る制御部、２００は各種情報をキャッシングしたり、各種サービスプログラム等を記憶したりする記憶部、３００は各種指示の入力やボタン入力、文字入力等を行う入力部、４００は近傍の無線機器との無線通信を司る通信部、５００は入力部３００から入力された情報や指示メッセージ及び撮影画像等の表示を司る表示部、６００は静止画のデジタル撮影が可能なカメラ部である。図２に示すように、これら制御部１００、記憶部２００、入力部３００、通信部４００、表示部５００、カメラ部６００はＣＰＵバス等の制御線及びデータ線によって接続されており、相互の通信が可能である。
【００１５】
情報機器１と広角デジタルカメラサーバ２との間でのデジタル情報の近距離無線通信回線としては、例えばＰＨＳ(Personal Handy phone System)データ通信、ＳＳ(Spread Spectrum)無線通信(802.11b)、Bluetooth通信等を用いたローカル無線ネットワークで送受信可能とすればよい。
【００１６】
図１に示した情報機器１は、図３に示すように、様々なサービスを提供するためのサービスプログラムや各種データを記憶部２００に記憶している。また、記憶部２００には新たに作成したデータを格納することができる。
【００１７】
２０１はBluetooth通信等によって近傍無線データ通信ローカル回線を確立等を可能とする無線通信サービスのためのサービスプログラムである。２０２はカメラ部６００のフォーカスや各種制御を行うカメラ制御サービスのためのサービスプログラムである。２０３はサムネイル画像による画像ブックマークを生成管理するブックマークサービスのためのサービスプログラムである。２０４はデジタル画像を撮影し、サムネイル画像作成等を行う撮影サービスのためのサービスプログラムである。２０５はサムネイル画像の移動等の情報を入力する入力サービスのためのサービスプログラムである。
【００１８】
また、２０６は顧客番号等の情報を含む電子会員証のデータである。２０７はブックマーク対象画像であるオブジェクト画像のデータである。２０８は電子会員証のデータ２０６を他の機器と交換する電子名刺交換サービスのためのサービスプログラムである。２０９は広角デジタルカメラサーバ２から画像を取得する広角画像取得サービスのためのサービスプログラムである。２１０は広角デジタルカメラサーバ２から受信した広角デジタル画像のデータである。２１１は撮影時に作成されるサムネイル画像のデータである。
【００１９】
本実施形態では、情報機器１の記憶部２００には、広角デジタルカメラサーバ２が設置されている店舗の会員証である電子会員証のデータ２０７が格納されているものとする。また、広角デジタルカメラサーバ２は、店舗内にＣＳ２１を介して定期的に機器探査要求を報知している。
【００２０】
図４は店舗内においてブックマークしたい対象物の前でデジタル撮影を行っている様子を示す図である。図５は情報機器１においてサムネイル画像を用いて画像ブックマークしている様子を示す図である。
【００２１】
また、図６は、情報機器１、広角デジタルカメラサーバ２、及びユーザ管理センタ３における広角画像取得の流れを示すシーケンスチャートである。図７は、情報機器１における広角画像取得処理を説明するためのフローチャートである。図８は、広角デジタルカメラサーバ２における広角画像送信処理を説明するためのフローチャートである。図９は、ユーザ管理センタ３におけるユーザ認証処理を説明するためのフローチャートである。
【００２２】
広角デジタルカメラサーバ２からは機器探査要求がＣＳ２１を介して報知されており（ステップＳ１２０１）、情報機器１の電源がＯＮになって（ステップＳ１００１）、通信部４００が機器探査要求を受信すると（ステップＳ１００２）、通信部４００は制御部１００に機器探査要求イベントを発行する。機器探査要求イベントを受信した制御部１００は、記憶部２００から無線通信サービスのためのサービスプログラム２０１を読み出して、以下の処理を実行する。
【００２３】
まず、情報機器１では、広角デジタルカメラサーバ２との通信リンクを確立し、広角デジタルカメラサーバ２に機器探査確認を送信する（ステップＳ１００３）。広角デジタルカメラサーバ２は、情報機器１から機器探査確認をＣＳ２１を介して受信すると（ステップＳ１２０２）、当該情報機器１のユーザ情報を取得するために、当該情報機器１に電子名刺交換要求をＣＳ２１を介して送信する（ステップＳ１２０３）。
【００２４】
情報機器１では、広角デジタルカメラサーバ２から電子名刺交換要求をＣＳ２１及び通信部４００を介して受信すると（ステップＳ１００４）、制御部１００が記憶部２００から電子名刺交換サービスのためのサービスプログラム２０８を読み出して、以下の処理を実行する。
【００２５】
まず、情報機器１では、広角デジタルカメラサーバ２に通信部４００を介して電子会員証のデータ２０６を電子名刺交換確認のパラメータとして送信する（ステップＳ１００５）。広角デジタルカメラサーバ２は、情報機器１から電子名刺交換確認をＣＳ２１を介して受信すると（ステップＳ１２０４）、当該電子名刺交換確認のパラメータとして添付された電子会員証のデータ２０６を基に、ユーザ管理センタ３に対して会員かどうかの問い合わせとして会員認証要求を行う（ステップＳ１２０５）。
【００２６】
ユーザ管理センタ３は、広角デジタルカメラサーバ２から会員認証要求を受信すると（ステップＳ１３０１）、会員データベースを参照して会員であるかどうかを照合する（ステップＳ１３０２）。
【００２７】
ユーザ管理センタ３にて会員であると認証されなかった場合、広角デジタルカメラサーバ２に会員認証確認メッセージのパラメータとしてＮＧ情報を一緒に送信する（ステップＳ１３０３）。広角デジタルカメラサーバ２は、ユーザ管理センタ３から会員認証確認を受信し（ステップＳ１２０６）、会員認証確認メッセージのパラメータとしてＮＧ情報が添付されていた場合、当該処理を終了する。
【００２８】
一方、ユーザ管理センタ３にて会員であると認証された場合、広角デジタルカメラサーバ２に会員認証確認メッセージのパラメータとして広角カメラ画像送信許可を一緒に送信する（ステップＳ１３０４、Ｓ１３０５）。広角デジタルカメラサーバ２は、ユーザ管理センタ３から会員認証確認を受信し（ステップＳ１２０６）、会員認証確認メッセージのパラメータとして広角カメラ画像送信許可が添付されていた場合、情報機器１に広角カメラ画像受信要求をＣＳ２１を介して送信する（ステップＳ１２０７）。
【００２９】
情報機器１では、広角デジタルカメラサーバ２から広角カメラ画像受信要求をＣＳ２１及び通信部４００を介して受信すると（ステップＳ１００６）、制御部１００が記憶部２００から広角カメラ画像取得サービスのためのサービスプログラム２０９を読み出して、以下の処理を実行する。
【００３０】
まず、情報機器１では、記憶部２００に広角デジタルカメラサーバ２から広角カメラ画像データを受信するための記憶領域を確保して、広角カメラ画像受信待ちプロセスを起こした後、広角デジタルカメラサーバ２に通信部４００を介して広角カメラ画像受信確認を送信する（ステップＳ１００７）。広角デジタルカメラサーバ２は、情報機器１から広角カメラ画像受信確認をＣＳ２１を介して受信すると（ステップＳ１２０８）、現在の広角画像を撮影して広角カメラ画像を作成し、当該広角カメラ画像データを情報機器１にＣＳ２１を介して送信する（ステップＳ１２０９）。
【００３１】
情報機器１では、広角デジタルカメラサーバ２から広角カメラ画像データの受信し（ステップＳ１００８）、受信が完了すると広角デジタルカメラサーバ２に広角カメラ画像受信完了を送信した後（ステップＳ１００９）、画像ブックマーク操作が可能な状態になる（ステップＳ１０１０）。広角デジタルカメラサーバ２は、情報機器１から広角カメラ画像受信完了をＣＳ２１を介して受信すると（ステップＳ１２１０）、一連の処理を終了する。
【００３２】
次に、第１の実施形態での情報機器１における画像ブックマーク操作について詳細に説明する。図１０は、情報機器１における画像ブックマークの実行処理を説明するためのフローチャートである。情報機器１にてカメラ撮影アプリケーションを立ち上げると、記憶部２００から撮影サービスのためのサービスプログラム２０４及びカメラ制御サービスのためのサービスプログラム２０２が制御部１００にロードされて、以下の操作が可能となる。
【００３３】
図４に示すように、ブックマークしたい対象物の前でデジタル撮影を行うために、カメラ制御サービスのためのサービスプログラム２０２がカメラ部６００を制御して対象物に焦点を合わせて対象物をデジタル撮影する（ステップＳ１０２０）。
【００３４】
その後、自動的に撮影画像であるオブジェクト画像２０７のサムネイル画像２１１が記憶部２００に作成されると同時に（ステップＳ１０３０）、画像ブックマーク操作アプリケーションに切り替わり、記憶部２００からブックマークサービスのためのサービスプログラム２０３が制御部１００にロードされて、以下の処理が実行される。
【００３５】
図５に示すように、情報機器１の表示部５００には、広角デジタルカメラサーバ２から受信した広角デジタル画像２１０が表示され、この広角デジタル画像２１０上に撮影画像のサムネイル画像２１１が移動可能な状態で表示される（ステップＳ１０４０）。この場合に、サムネイル画像２１１と対象物の原画像であるオブジェクト画像２０７との間にリンクが確立され、後にサムネイル画像２１１をタップすると、原画像であるオブジェクト画像２０７が表示されるようになっている。
【００３６】
そして、当該撮影対象物が置かれていた付近へ入力部３００を構成するスクロールボタン５０２を駆使して広角デジタル画像２１０をスクロールし（ステップＳ１０５０）、ブックマークＯＫのボタン５０１を押下すれば、サムネイル画像２１１が貼り付けられて画像ブックマークを実行することができる（ステップＳ１０６０）。
【００３７】
以上述べた第１の実施形態では、広角デジタル画像を予め撮影しておくのではなく、情報機器１が広角デジタル画像受信状態になったならば広角デジタル画像が撮影して作成されるので、現状の店舗内の広角デジタル画像が配信され、そのリアルタイムの広角デジタル画像に対して画像ブックマークを実行することができる。すなわち、現状を正しく表現するとともに、簡便で対象物の位置を後に探しやすい画像ブックマークが可能になる。
【００３８】
また、画像ブックマークのために使用する広角デジタル画像の配信時に、情報機器１の会員情報をユーザ管理センタで認証することによって、会員でない情報機器への広角デジタル画像の配信を防止し、会員であることの利便性を向上させることができるという効果がある。
【００３９】
（第２の実施形態）
以下、図１１〜１５を参照して、本発明の第２の実施形態について詳細に説明する。第２の実施形態のシステム構成は、図１に示した第１の実施形態のものと同様であるので、ここではその説明は省略する。
【００４０】
図１１は、情報機器１の記憶部２００に記憶された情報を説明するための図である。第１の実施形態（図３を参照）と同様に、無線通信サービスのためのサービスプログラム２０１、カメラ制御サービスのためのサービスプログラム２０２、ブックマークサービスのためのサービスプログラム２０３、撮影サービスのためのサービスプログラム２０４、入力サービスのためのサービスプログラム２０５、電子会員証のデータ２０６、オブジェクト画像のデータ２０７、電子名刺交換サービスのためのサービスプログラム２０８、広角画像取得サービスのためのサービスプログラム２０９、広角デジタル画像のデータ２１０、サムネイル画像のデータ２１１が記憶されており、更に、ユーザ管理センタ３から受信する特売商品画像のデータ２１２が記憶されている。
【００４１】
また、図１２は、情報機器１における広角画像取得処理を説明するためのフローチャートである。図１３は、広角デジタルカメラサーバ２における広角画像送信処理を説明するためのフローチャートである。図１４は、ユーザ管理センタ３におけるユーザ認証処理を説明するためのフローチャートである。
【００４２】
本実施形態では、第１の実施形態と同様に、広角デジタルカメラサーバ２が店舗の天井に配置されており、店舗内の情景を撮像することのできる例を説明するが、ユーザ管理センタ３には本日の特売商品情報と当該特売商品のデジタル画像データとが設定保存されているものとする。
【００４３】
図１２〜１４に示す広角デジタル画像取得処理において、情報機器１でのステップＳ２００１〜Ｓ２００６の処理、広角デジタルカメラサーバ２でのステップＳ２２０１〜Ｓ２２０６の処理、及びユーザ管理センタ３でのステップＳ２３０１〜Ｓ２３０３の処理は、第１の実施形態における情報機器１でのステップＳ１００１〜Ｓ１００６の処理、広角デジタルカメラサーバ２でのステップＳ１２０１〜Ｓ１２０６の処理、及びユーザ管理センタ３でのステップＳ１３０１〜Ｓ１３０３の処理とそれぞれ同一であるので、ここでは説明を省略する。
【００４４】
ユーザ管理センタ３にて会員であると認証された場合、広角デジタルカメラサーバ２に会員認証確認メッセージのパラメータとして広角カメラ画像送信許可と共に（ステップＳ２３０４）、本日の特売商品の画像である特売商品画像データを添付して（ステップＳ２３０５）一緒に送信する（ステップＳ２３０６）。広角デジタルカメラサーバ２は、ユーザ管理センタ３から会員認証確認を受信し（ステップＳ２２０６）、会員認証確認メッセージのパラメータとして広角カメラ画像送信許可及び特売商品画像データが添付されていた場合、情報機器１に広角カメラ画像受信要求のパラメータとして特売商品画像データを添付してＣＳ２１を介して送信する（ステップＳ２２０７）。
【００４５】
情報機器１では、広角デジタルカメラサーバ２から広角カメラ画像受信要求及びそのパラメータとして特売商品画像データをＣＳ２１及び通信部４００を介して受信すると（ステップＳ２００６）、制御部１００が記憶部２００から広角カメラ画像取得サービスのためのサービスプログラム２０９を読み出して、以下の処理を実行する。
【００４６】
まず、情報機器１では、記憶部２００に特売商品画像データ２１２を格納し（ステップＳ２００７）、広角デジタルカメラサーバ２から広角カメラ画像データを受信するための記憶領域を確保して、広角カメラ画像受信待ちプロセスを起こした後、広角デジタルカメラサーバ２に通信部４００を介して広角カメラ画像受信確認を送信する（ステップＳ２００８）。
【００４７】
以降の広角デジタル画像取得処理において、情報機器１でのステップＳ２００９〜Ｓ２０１１の処理と、広角デジタルカメラサーバ２でのステップＳ２２０８〜Ｓ２２１０の処理は、第１の実施形態における情報機器１でのステップＳ１００８〜Ｓ１０１０の処理と、広角デジタルカメラサーバ２でのステップＳ１２０８〜Ｓ１２１０の処理と同一であるので、ここでは説明を省略する。
【００４８】
次に、第２の実施形態での情報機器１における画像ブックマーク操作について詳細に説明する。図１５は、情報機器１における画像ブックマークの実行処理を説明するためのフローチャートである。情報機器１にてカメラ撮影アプリケーションを立ち上げると、記憶部２００から撮影サービスのためのサービスプログラム２０４とカメラ制御サービスのためのサービスプログラム２０２が制御部１００にロードされて、以下の操作が可能となる。
【００４９】
図４に示すように、ブックマークしたい対象物の前でデジタル撮影を行うために、カメラ制御サービスのためのサービスプログラム２０２がカメラ部６００を制御して対象物に焦点を合わせると、ファインダ画像と記憶部２００に格納されている特売商品画像データとのマッチングが行われ、特売商品画像とほぼ一致する場合には、ファインダ上の対象商品がフラッシュアップするよう表示部５００の制御を行う（ステップＳ２０１９）。その後、対象物をデジタル撮影する（ステップＳ２０２０）。
【００５０】
以降の画像ブックマークの実行処理において、情報機器１でのステップＳ２０３０〜Ｓ２０６０の処理は、第１の実施形態における情報機器１でのステップＳ１０３０〜Ｓ１０６０処理と同一であるので、ここでは説明を省略する。
【００５１】
以上述べた第２の実施形態では、画像ブックマークしようとしている商品が特売商品かどうかか一目でわかる、という更なる効果を奏する。
【００５２】
なお、第２の実施形態において、ユーザ管理センタ２にて、情報機器１から会員証が認証された場合に、特売商品画像データを広角デジタルカメラサーバ２を経由して情報機器１に送信するようにしているが、別に特売商品画像データに限ったことではなく、当該会員特有の購買情報等に基づいた各種情報を広角デジタルカメラサーバ２を経由して情報機器１に送信するようにしてもよい。
【００５３】
（第３の実施形態）
以下、図１６〜２０を参照して、本発明の第３の実施形態について詳細に説明する。第３の実施形態のシステム構成は、図１に示した第１の実施形態のものと同様であるので、ここではその説明は省略する。
【００５４】
図１６は、情報機器１の記憶部２００に記憶された情報を説明するための図である。第１の実施形態（図３を参照）と同様に、無線通信サービスのためのサービスプログラム２０１、カメラ制御サービスのためのサービスプログラム２０２、ブックマークサービスのためのサービスプログラム２０３、撮影サービスのためのサービスプログラム２０４、入力サービスのためのサービスプログラム２０５、電子会員証のデータ２０６、オブジェクト画像のデータ２０７、電子名刺交換サービスのためのサービスプログラム２０８、広角画像取得サービスのためのサービスプログラム２０９、広角デジタル画像のデータ２１０、サムネイル画像のデータ２１１が記憶されており、更に、アップロードサービスのためのサービスプログラム２１３が記憶されている。
【００５５】
また、図１７は、情報機器１、広角デジタルカメラサーバ２、及びユーザ管理センタ３の間で、情報機器１が広角デジタル画像データをアップロードする際の処理の流れを示すシーケンスチャートである。図１８は、情報機器１におけるアップロード処理を説明するためのフローチャートである。図１９は、広角デジタルカメラサーバ２におけるアップロード処理を説明するためのフローチャートである。図２０は、ユーザ管理センタ３におけるユーザ認証処理を説明するためのフローチャートである。
【００５６】
上述したようにアップロードしたい商品の画像を撮影し、画像ブックマークが完了している情報機器１において、図示しないアップロードボタンを押下すると、制御部１００が記憶部２００からアップロードサービスのためのサービスプログラム２１３を読み出して、以下の処理を実行する。
【００５７】
まず、情報機器１では、広角デジタルカメラサーバ２に通信部４００を介してアップロード要求を送信する（ステップＳ３００１）。広角デジタルカメラサーバ２は、情報機器１からアップロード要求をＣＳ２１を介して受信すると（ステップＳ３２０１）、当該アップロード要求を送信してきた情報機器１のユーザ情報を確認するために、当該情報機器１に電子名刺交換要求をＣＳ２１を介して送信する（ステップＳ３２０２）。
【００５８】
情報機器１では、広角デジタルカメラサーバ２から電子名刺交換要求をＣＳ２１及び通信部４００を介して受信すると（ステップＳ３００２）、制御部１００が記憶部２００から電子名刺交換サービスのためのサービスプログラム２０８を読み出して、以下の処理を実行する。
【００５９】
まず、情報機器１では、広角デジタルカメラサーバ２に通信部４００を介して電子会員証のデータ２０６を電子名刺交換確認のパラメータとして送信する（ステップＳ３００３）。広角デジタルカメラサーバ２は、情報機器１から電子名刺交換確認をＣＳ２１を介して受信すると（ステップＳ３２０３）、当該電子名刺交換確認のパラメータとして添付されてきた電子会員証のデータ２０６をユーザ管理センタ３にアップロードが可能な特別会員かどうかの問い合わせとして特別会員認証要求を行う（ステップＳ３２０４）。
【００６０】
ユーザ管理センタ３は、広角デジタルカメラサーバ２から特別会員認証要求を受信すると（ステップＳ３３０１）、会員データベースを参照して特別会員であるかどうかを照合する（ステップＳ３３０２）。
【００６１】
ユーザ管理センタ３にて特別会員であると認証されなかった場合、広角デジタルカメラサーバ２に特別会員認証確認メッセージのパラメータとしてＮＧ情報を一緒に送信する（ステップＳ３３０３）。広角デジタルカメラサーバ２は、ユーザ管理センタ３から特別会員認証確認を受信し（ステップＳ３２０５）、特別会員認証確認メッセージのパラメータとしてＮＧ情報が添付されていた場合、当該処理を終了する。
【００６２】
一方、ユーザ管理センタ３にて特別会員であると認証された場合、広角デジタルカメラサーバ２に特別会員認証確認メッセージのパラメータとしてアップロード許可を一緒に送信する（ステップＳ３３０４、Ｓ３３０５）。広角デジタルカメラサーバ２は、ユーザ管理センタ３から特別会員認証確認を受信し（ステップＳ３２０５）、特別会員認証確認メッセージのパラメータとしてアップロード許可が添付されていた場合、情報機器１にアップロード確認をＣＳ２１を介して送信する（ステップＳ３２０６）。
【００６３】
情報機器１では、広角デジタルカメラサーバ２からアップロード確認をＣＳ２１及び通信部４００を介して受信すると（ステップＳ３００４）、制御部１００が記憶部２００から画像ブックマーク済み広角デジタル画像を読み出し、広角デジタルカメラサーバ２に通信部４００を介して送信する（ステップＳ３００５）。広角デジタルカメラサーバ２は、情報機器１から画像ブックマーク済み広角デジタル画像をＣＳ２１を介して受信すると（ステップＳ３２０８）、その広角デジタル画像データをメモリに保存し、情報機器１にアップロード完了をＣＳ２１を介して送信する（ステップＳ３２０８）。
【００６４】
情報機器１では、広角デジタルカメラサーバ２からアップロード完了をＣＳ２１及び通信部４００を介して受信すると（ステップＳ３００６）、アップロードの一連の処理を終了する。
【００６５】
以上述べた第３の実施形態では、店側が指定する特売商品とその位置を広角デジタル画像をダウンロードする不特定多数の情報機器１を持つユーザに明示的に知らせることができる、という更なる効果を奏する。
【００６６】
（第４の実施形態）
上記第１〜３の実施形態では、情報機器１が撮像機能を有する例を説明したが、情報機器１が撮像機能を持たず、広角デジタル画像２１０だけでなく、画像ブックマークのためのサムネイル画像２１１も広角デジタルカメラサーバ２から取得するようにしてもよい。
【００６７】
例えば、広角デジタルカメラサーバ２はある情景全体を撮影するとともに、その情景内の対象物をズーム撮影することが可能になっている。そして、情報機器１から広角デジタルカメラサーバ２に撮像範囲を指定するコントロール情報を送信できるようにしておき、広角デジタルカメラサーバ２によりブックマークしたい対象物を撮影する。
【００６８】
この場合に、広角デジタルカメラサーバ２においてサムネイル画像２１１が作成されるようにしてもよいし、対象物を撮影した画像データを情報機器１に送信し、情報機器１においてサムネイル画像２１１が作成されるようにしてもよい。
【００６９】
このように広角デジタルカメラサーバ２でサムネイル画像２１１を取得する場合に、リアルタイムの広角デジタル画像２１０を見ながら撮像方向をコントロールしてサムネイル画像２１１を取得することができるので、現状を正しく認識することができる。
【００７０】
（他の実施の形態）
以上、本発明を種々の実施形態と共に説明したが、本発明はこれらの実施形態にのみ限定されるものではなく、本発明の範囲内で変更等が可能である。第１、２の実施形態では、広角デジタルカメラサーバ２から広角カメラ画像受信要求を情報機器１に送信した後、情報機器１から広角カメラ画像受信確認を受信した場合に、現在の広角画像を撮影して広角カメラ画像を作成し、当該広角カメラ画像データを情報機器１に送信するようにしたが、情報機器１から所望のときに広角デジタルカメラサーバ２に画像取得要求を行うことにより、その要求に応じて、広角デジタルカメラサーバ２が現在の広角画像を撮影して広角カメラ画像を作成し、当該広角カメラ画像データを情報機器１に送信するようにしてもよい。
【００７１】
また、広角デジタルカメラサーバ２の独自無線通信部をＣＳ２１として広角デジタルカメラサーバ２の外部に設けたが、独自無線通信部を広角デジタルカメラサーバ２内部に設けてもよい。
【００７２】
また、情報機器１と広角デジタルカメラサーバ２との間の通信は無線にて接続しているが、特殊な有線を一時的に接続する形態であってもよい。また、無線データ通信方式としてはBluetoothに限定されることなく、IEEE802.11b、PIAFS、W-CDMA等の無線データ通信方式を用いてもよい。
【００７３】
また、広角デジタルカメラサーバ２はユーザ管理センタ３と有線回線で接続されるようになっているが、無線回線で接続されていてもよい。
【００７４】
また、広角デジタル画像のデータ２１０、サムネイル画像のデータ２１１等が情報機器１の記憶部２００に格納される例を説明したが、広角デジタルカメラサーバ２の記憶部に記憶されるようにしてもよい。
【００７５】
更に、第１、２の実施形態において、ブックマークに用いるサムネイル画像を動かす手段として、ソフトウェア矢印ボタンにてブックマークされる側の広角デジタル画像を動かすようにしたが、ブックマークの位置が探し出せればどういう手段を用いてもよく、例えば広角デジタル画像の倍率を変化させてからスクロールしてもよいし、情報機器の傾きを検知するセンサを用いて、傾いている方向に広角デジタル画像をスクロールしてもよい。
【００７６】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００７７】
この場合、記憶媒体から読み出されたプログラムコード自体が上述した実施形態の機能を実現することになり、プログラムコード自体及びそのプログラムコードを記憶した記憶媒体は本発明を構成することになる。
【００７８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７９】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００８０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００８１】
【図１】第１の実施形態のネットワークシステムを説明するためのブロック図である。
【図２】情報機器の内部モジュールの接続関係を示す図である。
【図３】第１の実施形態において情報機器の記憶部に記憶された情報を説明するための図である。
【図４】店舗内においてブックマークしたい対象物の前でデジタル撮影を行っている様子を示す図である。
【図５】情報機器においてサムネイル画像を用いて画像ブックマークしている様子を示す図である。
【図６】情報機器、広角デジタルカメラサーバ、及びユーザ管理センタにおける広角画像取得の流れを示すシーケンスチャートである。
【図７】情報機器における広角画像取得処理を説明するためのフローチャートである。
【図８】第１の実施形態での広角デジタルカメラサーバにおける広角画像送信処理を説明するためのフローチャートである。
【図９】第１の実施形態でのユーザ管理センタにおけるユーザ認証処理を説明するためのフローチャートである。
【図１０】第１の実施形態での情報機器における画像ブックマークの実行処理を説明するためのフローチャートである。
【図１１】第２の実施形態において情報機器の記憶部に記憶された情報を説明するための図である。
【図１２】第２の実施形態での情報機器における広角画像取得処理を説明するためのフローチャートである。
【図１３】第２の実施形態での広角デジタルカメラサーバにおける広角画像送信処理を説明するためのフローチャートである。
【図１４】第２の実施形態でのユーザ管理センタにおけるユーザ認証処理を説明するためのフローチャートである。
【図１５】第２の実施形態での情報機器における画像ブックマークの実行処理を説明するためのフローチャートである。
【図１６】第３の実施形態において情報機器の記憶部に記憶された情報を説明するための図である。
【図１７】情報機器、広角デジタルカメラサーバ、及びユーザ管理センタの間で、情報機器が広角デジタル画像データをアップロードする際の処理の流れを示すシーケンスチャートである。
【図１８】第３の実施形態での情報機器におけるアップロード処理を説明するためのフローチャートである。
【図１９】第３の実施形態での広角デジタルカメラサーバにおけるアップロード処理を説明するためのフローチャートである。
【図２０】第３の実施形態でのユーザ管理センタにおけるユーザ認証処理を説明するためのフローチャートである。
【符号の説明】
【００８２】
１      情報機器
２      広角デジタルカメラサーバ
３      ユーザ管理センタ
２１    セルステーション
１００  制御部
２００  記憶部
３００  入力部
４００  通信部
５００  表示部
６００  カメラ部
【図１】
2006100988.tif 000003
【図２】
2006100988.tif 000004
【図３】
2006100988.tif 000005
【図４】
2006100988.tif 000006
【図５】
2006100988.tif 000007
【図６】
2006100988.tif 000008
【図７】
2006100988.tif 000009
【図８】
2006100988.tif 000010
【図９】
2006100988.tif 000011
【図１０】
2006100988.tif 000012
【図１１】
2006100988.tif 000013
【図１２】
2006100988.tif 000014
【図１３】
2006100988.tif 000015
【図１４】
2006100988.tif 000016
【図１５】
2006100988.tif 000017
【図１６】
2006100988.tif 000018
【図１７】
2006100988.tif 000019
【図１８】
2006100988.tif 000020
【図１９】
2006100988.tif 000021
【図２０】
2006100988.tif 000022